(57)【要約】【課題】信号送受信時において送受信レベルの低下を抑制することができるアンテナ装置及び信号送受信方法を提供する。【解決手段】アンテナ装置１０は、整合回路１１ｂ，１２ｂを含む複数のアンテナ１１，１２と、整合回路１１ｂ，１２ｂを制御することによりアンテナのインピーダンスを調整する制御回路１５と、無線回路１３とを備える。制御回路１５は、複数のアンテナ１１，１２のいずれか一つを選択し、選択に係るアンテナの整合回路を制御して選択に係るアンテナと無線回路１３との整合をとり、選択されていないアンテナの整合回路を制御して選択されていないアンテナと無線回路１３とを不整合にし、信号送信時、選択に係るアンテナに信号を出力するように無線回路１３を制御し、信号受信時、選択に係るアンテナからの信号を受信するように無線回路１３を制御する。【選択図】図２
2017041730.tif 000002
【特許請求の範囲】
【請求項１】
インピーダンスを調整する整合回路を含む複数のアンテナと、前記アンテナの前記整合回路を制御することにより前記アンテナのインピーダンスを調整する制御回路と、前記アンテナが送受信する信号を処理する無線回路とを備え、
前記制御回路は、前記複数のアンテナのいずれか一つを選択し、選択に係るアンテナの前記整合回路を制御して選択に係るアンテナと前記無線回路との整合をとり、選択されていないアンテナの前記整合回路を制御して選択されていないアンテナと前記無線回路とを不整合にし、信号送信時、選択に係るアンテナに信号を出力するように前記無線回路を制御し、信号受信時、選択に係るアンテナからの信号を受信するように前記無線回路を制御する、アンテナ装置。
【請求項２】
前記無線回路を前記複数のアンテナのうちのいずれか一つに接続する切替回路を更に備え、
前記制御回路は、信号の送受信時、選択に係るアンテナと前記無線回路とを接続し、かつ選択されていないアンテナと前記無線回路とを接続しないように前記切替回路を制御する
請求項１に記載のアンテナ装置。
【請求項３】
周波数の異なる信号を処理する複数の前記無線回路を備え、
前記アンテナのそれぞれには前記無線回路が接続されており、前記アンテナは、周波数の異なる信号を送受信するものであり、
前記制御回路は、信号の送受信時、選択に係るアンテナに接続された前記無線回路を動作させ、選択されていないアンテナに接続された前記無線回路を動作させない、請求項１に記載のアンテナ装置。
【請求項４】
複数のアンテナを用いて信号を送受信する信号送受信方法であって、
複数のアンテナのうちいずれか一つを選択し、選択に係るアンテナと無線回路とが整合するように選択に係る前記アンテナのインピーダンスを調整し、選択されていないアンテナと前記無線回路とが整合しないように選択されていないアンテナのインピーダンスを調整し、かつ、前記選択されていないアンテナと無線回路とを非接続にするまたは前記選択されていないアンテナに接続される無線回路を動作させない、信号送受信方法。
【発明の詳細な説明】
【技術分野】
【０００１】
本発明は、複数のアンテナを有するアンテナ装置及び信号送受信方法に関する。
【背景技術】
【０００２】
複数のアンテナを用いて信号を送信または受信するアンテナ装置として、特許文献１に記載の技術が知られている。このアンテナ装置は、信号を送信または受信するとき、２つのアンテナのうちのいずれか一方のアンテナを無線回路部に整合させる。これにより、送信または受信に用いるアンテナを切り替える。
【先行技術文献】
【特許文献】
【０００３】
【特許文献１】特開２０１０−８１１６１号公報
【発明の概要】
【発明が解決しようとする課題】
【０００４】
しかし、従来構成においてアンテナ間で結合が生じることがある。例えば、２つのアンテナが近い距離に配置されているときに、このような結合が生じ、送信レベルまたは受信レベルが低下する。本発明は、このような問題点に着目してなされたものであって、その目的は、信号送受信時において送受信レベルの低下を抑制することができるアンテナ装置及び信号送受信方法を提供することにある。
【課題を解決するための手段】
【０００５】
上記課題を解決するアンテナ装置は、インピーダンスを調整する整合回路を含む複数のアンテナと、前記アンテナの前記整合回路を制御することにより前記アンテナのインピーダンスを調整する制御回路と、前記アンテナが送受信する信号を処理する無線回路とを備え、前記制御回路は、前記複数のアンテナのいずれか一つを選択し、選択に係るアンテナの前記整合回路を制御して選択に係るアンテナと前記無線回路との整合をとり、選択されていないアンテナの前記整合回路を制御して選択されていないアンテナと前記無線回路とを不整合にし、信号送信時、選択に係るアンテナに信号を出力するように前記無線回路を制御し、信号受信時、選択に係るアンテナからの信号を受信するように前記無線回路を制御する。
【０００６】
上記課題を解決する信号送受信方法は、複数のアンテナを用いて信号を送受信する信号送受信方法であって、複数のアンテナのうちいずれか一つを選択し、選択に係るアンテナと無線回路とが整合するように選択に係る前記アンテナのインピーダンスを調整し、選択されていないアンテナと前記無線回路とが整合しないように選択されていないアンテナのインピーダンスを調整し、かつ、前記選択されていないアンテナと無線回路とを非接続にするまたは前記選択されていないアンテナに接続される無線回路を動作させない。
【発明の効果】
【０００７】
上記アンテナ装置及び信号送受信方法は、信号送受信時において送受信レベルの低下を抑制する。
【図面の簡単な説明】
【０００８】
【図１】（ａ）は、第１実施形態に係るアンテナ装置が用いられるシステムの模式図、（ｂ）は、第２実施形態に係るアンテナ装置が用いられるシステムの模式図。
【図２】第１実施形態に係るアンテナ装置のブロック図。
【図３】第１アンテナの回路図。
【図４】信号送信時におけるアンテナ装置のタイムチャート。
【図５】信号受信時におけるアンテナ装置のタイムチャート。
【図６】第２実施形態に係るアンテナ装置のブロック図。
【発明を実施するための形態】
【０００９】
図１（ａ）は、第１実施形態に示すアンテナ装置が用いられるシステムを示す。システム１は、電気機器２（例えば、照明）と、電気機器２を動作させるスイッチ３と、電気機器２を制御するコントローラ４とを備える。照明のスイッチ３は、コントローラ４から送信される信号に基づいて照明を動作させる。コントローラ４は、スイッチ３に信号を送信したり、スイッチ３からの信号を受信したりする。信号の周波数は、１００ＭＨｚ〜１０ＧＨｚ範囲内の特定周波数（例えば、４２６ＭＨｚ）に規定される。スイッチ３とコントローラ４との間の送受信の信頼性を高めることを目的とし、ダイバーシチ効果が利用される。具体的には、コントローラ４内のアンテナ装置１０は複数のアンテナを備える。
【００１０】
図１（ｂ）は、第２実施形態に示すアンテナ装置が用いられるシステムの例を示す。システム５は、複数の電気機器６，７と、第１の電気機器６を動作させる第１制御装置６ａ（例えば、スイッチ）と、第２の電気機器７を制御する第２制御装置７ａと、第１制御装置６ａと第２制御装置７ａとを管理する管理装置８とを備える。第１の電気機器６は例えば照明であり、第２の電気機器７は例えば太陽電池である。管理装置８は、周波数が異なる信号を用いて第１制御装置６ａ及び第２制御装置７ａのそれぞれと通信する。例えば、管理装置８は、第１周波数（例えば、４２６ＭＨｚ）の信号を用いて、第１制御装置６ａと通信する。管理装置８は、第２周波数（例えば、９２０ＭＨｚ）の信号を用いて、第２制御装置７ａと通信する。管理装置８のアンテナ装置３０は、第１周波数の信号を送受信するアンテナと、第２周波数の信号を送受信するアンテナとを備える。
【００１１】
以上のように、無線信号で電気機器を制御する場合、コントローラ４や管理装置８には複数のアンテナが配置される。コントローラ４や管理装置８は、配置スペースが小さいことが好ましく、その大きさには制限がある。このようなことから、コントローラ４や管理装置８内に配置される複数のアンテナ間の距離が近くなる。ここで、「近い」とは、信号の送信または受信のときに、複数のアンテナ間で結合が生じないアンテナ間距離の最小距離よりも短いことを示す。このため、これらの装置（コントローラ４や管理装置８）では、信号の送信時または受信時にアンテナ間で結合が生じ得る。以下に示されるアンテナ装置１０，３０（図２及び図６参照）はアンテナ間の結合を抑制する。
【００１２】
（第１実施形態）
図２及び図３を参照して、第１実施形態に係るアンテナ装置１０について説明する。アンテナ装置１０は、図１（ａ）に示したシステム１に適用される。アンテナ装置１０は、複数のアンテナ１１，１２を用いて特定周波数（例えば、４２６ＭＨｚ）の信号を送受信する。アンテナ装置１０は、第１アンテナ１１と、第２アンテナ１２と、無線回路１３と、切替回路１４と、制御回路１５と、記憶装置１６とを備える。第１アンテナ１１は、アンテナ部１１ａと整合回路１１ｂとを有する。アンテナ部１１ａは、例えばループまたはバー形状に構成される。アンテナ部１１ａはグランドに接続される。第２アンテナ１２は、アンテナ部１２ａと整合回路１２ｂとを有する。第１アンテナ１１と第２アンテナ１２とは同じ構造を有する。
【００１３】
整合回路１１ｂは、第１アンテナ１１のインピーダンスを変更するための回路である。整合回路１１ｂは、ループアンテナの場合、ループ内に設けられ得る。整合回路１１ｂは、可変容量素子２１と容量素子２２とを含む。可変容量素子２１は、入力信号（例えば、印加電圧）によって静電容量の調整が可能な素子を示す。可変容量素子２１としては、例えば可変容量ダイオードが用いられる。
【００１４】
無線回路１３は、送信信号を形成したり、第１アンテナ１１または第２アンテナ１２により受信した受信信号を処理したりする。切替回路１４は、第１アンテナ１１と無線回路１３との間かつ第２アンテナ１２と無線回路１３との間に配置される。切替回路１４は、制御回路１５の指令に基づいて、第１接続状態Ａ１と第２接続状態Ａ２とのいずれかの状態に切り替わる。第１接続状態Ａ１は、切替回路１４が第１アンテナ１１と無線回路１３とを接続しかつ第２アンテナ１２を無線回路１３に接続しない状態を示す。第２接続状態Ａ２は、切替回路１４が第２アンテナ１２と無線回路１３とを接続しかつ第１アンテナ１１を無線回路１３に接続しない状態を示す。第１接続状態Ａ１及び第２接続状態Ａ２のいずれの状態でも、第１アンテナ１１と第２アンテナ１２との間は非接続状態である。切替回路１４は、例えば半導体スイッチング素子により構成される。
【００１５】
制御回路１５は、信号送信時及び信号受信時（信号を待つ待機時を含む）、第１アンテナ１１、第２アンテナ１２及び切替回路１４を制御する。具体的には、制御回路１５は、第１アンテナ１１及び第２アンテナ１２を、無線回路１３に対して、整合させたり不整合にしたりする。
【００１６】
制御回路１５は、アンテナ１１，１２を整合させる制御において、無線回路１３に対するアンテナ１１，１２の送信レベルまたは受信レベルが高くなるように、整合回路１１ｂ，１２ｂに印加するパラメータ（例えば、印加電圧）を調整する。アンテナ１１，１２が無線回路１３に対して整合するパラメータ（印加電圧）は、予め設定されている。例えば、アンテナ装置１０の製造時において、整合回路１１ｂ，１２ｂに入力する印加電圧を変化させて、無線回路１３に整合する印加電圧（送信レベル及び受信レベルが第１基準値よりも高くなる印加電圧）を検出する。検出された印加電圧は、アンテナ装置１０の記憶装置１６に記録される。以下、無線回路１３に対してアンテナが整合するようになるパラメータ（印加電圧）を「整合信号」という。
【００１７】
制御回路１５は、アンテナ１１，１２を不整合にする制御において、送信信号または受信信号に対するアンテナ１１，１２の送信レベルまたは受信レベルが低くなるように、整合回路１１ｂ，１２ｂに印加するパラメータ（例えば、印加電圧）を調整する。アンテナ１１，１２が無線回路１３に整合しないパラメータ（印加電圧）は、予め設定されている。例えば、アンテナ装置１０の製造時において、整合回路１１ｂ，１２ｂに入力する印加電圧を変化させて、無線回路１３に整合しない印加電圧（第１基準値よりも低い第２基準値よりも送信レベル及び受信レベルが低くなる印加電圧）を検出する。検出された印加電圧は、アンテナ装置１０の記憶装置１６に記録される。以下、無線回路１３に対してアンテナが整合しなくなるパラメータ（印加電圧）を「不整合信号」という。
【００１８】
図２及び図４を参照して、信号送信時のアンテナ装置１０の動作を説明する。
制御回路１５は、信号送信時、第１アンテナ１１と第２アンテナ１２とを用いて送信信号を送信する。具体的には、制御回路１５は、信号送信時、切替回路１４を動作させて、第１アンテナ１１と第２アンテナ１２と無線回路１３との接続状態を第１接続状態Ａ１と第２接続状態Ａ２との間で周期的に切り替える。
【００１９】
切替回路１４が第１接続状態Ａ１であるとき、制御回路１５は各アンテナ１１，１２を次のように制御する。制御回路１５は、整合信号Ｖ１１を第１アンテナ１１の整合回路１１ｂに入力し第１アンテナ１１を無線回路１３に整合させ、不整合信号Ｖ２２を第２アンテナ１２の整合回路１２ｂに入力し第２アンテナ１２を無線回路１３に不整合にする。また、第１アンテナ１１に整合信号Ｖ１１が入力されている期間に、無線回路１３は、送信信号を第１アンテナ１１に出力する。
【００２０】
切替回路１４が第２接続状態Ａ２であるとき、制御回路１５は各アンテナ１１，１２を次のように制御する。制御回路１５は、不整合信号Ｖ１２を第１アンテナ１１の整合回路１１ｂに入力し第１アンテナ１１を無線回路１３に不整合にし、整合信号Ｖ２１を第２アンテナ１２の整合回路１２ｂに入力し第２アンテナ１２を無線回路１３に整合させる。また、第２アンテナ１２に整合信号Ｖ２１が入力されている期間に、無線回路１３は、送信信号を第２アンテナ１２に出力する。以上のように、アンテナ装置１０は、第１アンテナ１１と第２アンテナ１２とを周期的に切り替えて、送信信号を送信する。
【００２１】
図２及び図５を参照して、信号受信待機時及び信号受信時のアンテナ装置１０の動作を説明する。制御回路１５は、信号受信待機時、第１アンテナ１１と第２アンテナ１２とを交互に受信可能状態に切り替える。具体的には、制御回路１５は、信号受信待機時、切替回路１４を動作させて、第１アンテナ１１及び第２アンテナ１２と無線回路１３との間の接続状態を第１接続状態Ａ１と第２接続状態Ａ２との間で周期的に切り替える。
【００２２】
切替回路１４が第１接続状態Ａ１であるとき、制御回路１５は各アンテナ１１，１２を次のように制御する。制御回路１５は、整合信号Ｖ１１を第１アンテナ１１の整合回路１１ｂに入力し第１アンテナ１１を無線回路１３に整合させ、不整合信号Ｖ２２を第２アンテナ１２の整合回路１２ｂに入力し第２アンテナ１２を無線回路１３に不整合にする。
【００２３】
切替回路１４が第２接続状態Ａ２であるとき、制御回路１５は各アンテナ１１，１２を次のように制御する。制御回路１５は、不整合信号Ｖ１２を第１アンテナ１１の整合回路１１ｂに入力し第１アンテナ１１を無線回路１３に不整合にし、整合信号Ｖ２１を第２アンテナ１２の整合回路１２ｂに入力し第２アンテナ１２を無線回路１３に整合させる。
【００２４】
また、制御回路１５は、両アンテナ１１，１２の出力信号と閾値とを比較する。制御回路１５は、いずれかの出力信号が閾値よりも高いと判定するとき、所定の比較期間ＴＣにおいて第１アンテナ１１の出力信号と第２アンテナ１２の出力信号とを比較して、出力レベルが高いアンテナを選択する。そして、切替回路１４の切替により、選択に係るアンテナと無線回路１３とを接続する。更に、制御回路１５は、整合回路１１ｂ，１２ｂの制御により、選択に係るアンテナと無線回路１３とを整合させ、選択されていないアンテナと無線回路１３とを不整合にする。
【００２５】
次に制御回路１５の作用を説明する。従来技術では、第１アンテナ１１及び第２アンテナ１２のうちの一方を整合し、他方を不整合にする。このような構成だけでも両アンテナ１１，１２間の結合が低下するが、両アンテナ１１，１２の結合に基づいて十分な利得が得られない場合がある。両アンテナ１１，１２に利得の差があるものの、送受信時には両アンテナ１１，１２ともに動作し、両アンテナ１１，１２が結合するためである。そこで、上述のように、制御回路１５は、送信信号の送信時、信号受信待機時または受信信号の受信時、一方のアンテナを無線回路１３に接続し、かつ一方のアンテナに整合信号を入力することによりそのアンテナを無線回路１３に整合させる。更に、他方のアンテナと無線回路１３とは接続せず、他方のアンテナに不整合信号を入力することによりそのアンテナを無線回路１３に対して不整合にする。これにより、両アンテナ１１，１２に利得の差が生じ、かつ選択されていないアンテナにおいて電界が形成され難くなるため、両アンテナ１１，１２間の結合が低下する。また、両アンテナ１１，１２間が非接続であるため、回路（即ち基板上の導体または基板上に形成される容量要素）を介しての結合も抑制される。
【００２６】
（第２実施形態）
図６を参照して、第２実施形態に係るアンテナ装置３０について説明する。
本実施形態に係るアンテナ装置３０は、図１（ｂ）に示したシステム５に適用される。アンテナ装置３０は、複数のアンテナを用いて周波数の異なる信号を送受信する。
【００２７】
アンテナ装置３０は、第１アンテナ３１と、第２アンテナ３２と、第１アンテナ３１に接続される第１無線回路３３と、第２アンテナ３２に接続される第２無線回路３４と、制御回路３５と、記憶装置３６とを備える。第１アンテナ３１は、アンテナ部３１ａと整合回路３１ｂとを有する。第２アンテナ３２は、アンテナ部３２ａと整合回路３２ｂとを有する。アンテナ部３１ａ，３２ａ及び整合回路３１ｂ，３２ｂの構成は第１実施形態に示したものに準ずる。記憶装置３６は第１実施形態に示したものに準じ、各アンテナ３１，３２に設定されている整合信号及び不整合信号（即ち印加電圧）を記憶する。
【００２８】
第１無線回路３３は、特定周波数（例えば、４２６ＭＨｚ）の送信信号を形成したり、第１アンテナ３１により受信した特定周波数の受信信号を処理したりする。第２無線回路３４は、特定周波数（例えば、９２０ＭＨｚ）の送信信号を形成したり、第２アンテナ３２により受信した特定周波数の受信信号を処理したりする。第１無線回路３３が処理する信号と第２無線回路３４が処理する信号の周波数は異なる。
【００２９】
制御回路３５は、信号送信時及び信号受信時、第１アンテナ３１及び第２アンテナ３２を制御する。具体的には、制御回路３５は、第１アンテナ３１及び第２アンテナ３２を、無線回路に対して整合させたり、無線回路に対して不整合にしたりする。アンテナを無線回路に対して整合させる制御、及びアンテナを無線回路に対して不整合にする制御は、第１実施形態に示した制御に準ずる。
【００３０】
アンテナ装置３０の動作を説明する。
制御回路３５は、信号送信時、第１アンテナ３１及び第２アンテナ３２のいずれか一方で送信信号を送信する。そして、制御回路３５は、選択に係るアンテナと選択に係るアンテナに接続された無線回路とが送信周波数において整合するように、選択に係るアンテナの整合回路を制御する。また、制御回路３５は、選択に係るアンテナの整合回路を制御し、選択されていないアンテナと選択されていないアンテナに接続された無線回路とが送信周波数において不整合となるように、選択されていないアンテナの整合回路を制御する。整合回路３１ｂ，３２ｂの制御方法は第１実施形態に準ずる。また、制御回路３５は、第１無線回路３３と第２無線回路３４とのうち選択に係るアンテナに接続された無線回路だけを動作させて、選択されていないアンテナに接続された無線回路を動作させない。
【００３１】
制御回路３５は、信号受信待機時、第１アンテナ３１と第２アンテナ３２とを交互に受信可能状態に切り替える。
制御回路３５は、整合回路を制御し、選択に係るアンテナと選択に係るアンテナに接続された無線回路とを受信周波数において整合させ、選択されていないアンテナと選択されていないアンテナに接続された無線回路とを受信周波数において不整合にする。整合回路３１ｂ，３２ｂの制御方法は第１実施形態に準ずる。また、制御回路３５は、第１無線回路３３と第２無線回路３４とのうち選択に係るアンテナに接続された無線回路だけを動作させて、選択されていないアンテナに接続された無線回路を動作させない。
【００３２】
そして、いずれかのアンテナで受信信号を受信するとき、制御回路３５は、次のように、各アンテナ３１，３２の整合回路を制御する。即ち、制御回路３５は、受信信号を受信したアンテナと受信したアンテナに接続された無線回路とが受信周波数において整合するようにそのアンテナの整合回路を制御する。また、制御回路３５は、他のアンテナと他のアンテナに接続された無線回路とが受信周波数において不整合となるように整合回路を制御する。このとき、制御回路３５は、整合させたアンテナに接続された無線回路を動作させて、他の無線回路を動作させない。
【００３３】
次に制御回路３５の作用を説明する。本実施形態では、各アンテナ３１，３２で送受信する信号の周波数が異なる。一方の信号の周波数が他方の信号の周波数の整数倍またはそれに近い値になっている場合（例えば、４２６ＭＨｚと９２０ＭＨｚ）、信号の送受信時にアンテナ３１，３２間の結合が生じ、十分な利得が得られない場合がある。そこで、上述のように、制御回路３５は、送信信号の送信時、信号受信待機時または受信信号の受信時、選択に係るアンテナの整合回路を制御することによりそのアンテナとそのアンテナに接続された無線回路とを送受信周波数において整合させる。一方、選択されていないアンテナの整合回路を制御することによりそのアンテナとそのアンテナに接続された無線回路とを送受信周波数において不整合にする。さらに、制御回路３５は、選択されていないアンテナに接続された無線回路を動作させない。これにより、両アンテナ３１，３２に利得の差が生じ、かつ選択されていないアンテナにおいて電界が形成され難くなるため、両アンテナ３１，３２の結合が低下する。
【００３４】
本実施形態に係るアンテナ装置１０，３０の効果を説明する。
（１）第１及び第２実施形態に係るアンテナ装置１０（３０）では、制御回路１５（３５）は、次の制御を行う。
【００３５】
制御回路１５（３５）は、信号送信時、選択に係るアンテナと選択に係るアンテナに接続される無線回路とを送信周波数において整合させて、かつ選択に係るアンテナだけに送信信号を出力するように無線回路１３（３３，３４）を制御する。
【００３６】
また、信号受信時、選択に係るアンテナと選択に係るアンテナに接続される無線回路とを受信周波数において整合させて、かつ選択に係るアンテナからだけ信号を受信するように無線回路１３（３３，３４）を制御する。これにより、選択されていないアンテナで電界が生じ難くなり、両アンテナ１１，１２（３１，３２）間での結合が生じることが抑制されて、信号送受信時において送受信レベルの低下が抑制される。
【００３７】
（２）第１実施形態に係るアンテナ装置１０は、特定周波数の信号を送受信するものであり、切替回路１４を有する。制御回路１５は、信号の送受信時、切替回路１４を制御して、選択に係るアンテナと無線回路１３とを接続し、選択されていないアンテナと無線回路１３とを接続しない。この構成によれば、両アンテナが接続することがないため、回路を介しての両アンテナ１１，１２間の結合が生じ難くなる。
【００３８】
（３）第２実施形態に係るアンテナ装置３０は、複数の特定周波数の信号を送受信する。制御回路３５は、選択に係るアンテナと選択に係るアンテナに接続された無線回路とを送受信周波数において整合させ、選択に係るアンテナに接続された無線回路を動作させる。また、制御回路３５は、選択されていないアンテナと選択されていないアンテナに接続された無線回路とを不整合にし、選択されていないアンテナに接続された無線回路を動作させない。これにより、選択されていないアンテナで電界が形成されることが抑制されるため、両アンテナ３１，３２間の結合が抑制される。
【００３９】
（４）第１実施形態及び第２実施形態に示される信号送受信方法によれば、選択されていないアンテナで電界が生じ難くなり、両アンテナ１１，１２（３１，３２）間での結合が生じることが抑制されて、信号送受信時において送受信レベルの低下が抑制される。
【００４０】
［その他の実施形態］
・第１及び第２実施形態では、アンテナ装置１０，３０は２個のアンテナを備えるが、アンテナの個数は３個以上でもよい。この場合、使用するアンテナは順に切り替えられる。また、整合回路１１ｂ，１２ｂ，３１ｂ，３２ｂの構成は実施形態に限定されず、コイルまたは抵抗を含み得る。
【００４１】
実施形態から把握できる技術的思想について記載する。
（付記１）
インピーダンスを調整する整合回路を含む複数のアンテナと、前記アンテナの前記整合回路を制御することにより前記アンテナのインピーダンスを調整する制御回路と、前記アンテナが送受信する信号を処理する無線回路とを備え、
前記制御回路は、前記複数のアンテナのいずれか一つを選択し、選択に係るアンテナの前記整合回路を制御して選択に係るアンテナと前記無線回路との整合をとり、選択されていないアンテナの前記整合回路を制御して選択されていないアンテナと前記無線回路とを不整合にし、信号送信時、選択に係るアンテナに信号を出力するように前記無線回路を制御し、信号受信時、選択に係るアンテナからの信号を受信するように前記無線回路を制御する、アンテナ装置。
【００４２】
（付記２）
前記無線回路を前記複数のアンテナのうちのいずれか一つに接続する切替回路を更に備え、
前記制御回路は、信号の送受信時、選択に係るアンテナと前記無線回路とを接続し、かつ選択されていないアンテナと前記無線回路とを接続しないように前記切替回路を制御する、付記１に記載のアンテナ装置。
【００４３】
（付記３）
周波数の異なる信号を処理する複数の前記無線回路を備え、
前記アンテナのそれぞれには前記無線回路が接続されており、前記アンテナは、周波数の異なる信号を送受信するものであり、
前記制御回路は、信号の送受信時、選択に係るアンテナに接続された前記無線回路を動作させ、選択されていないアンテナに接続された前記無線回路を動作させない、付記１に記載のアンテナ装置。
【００４４】
（付記４）
複数のアンテナを用いて信号を送受信する信号送受信方法であって、
複数のアンテナのうちいずれか一つを選択し、選択に係るアンテナと無線回路とが整合するように選択に係る前記アンテナのインピーダンスを調整し、選択されていないアンテナと前記無線回路とが整合しないように選択されていないアンテナのインピーダンスを調整し、かつ、前記選択されていないアンテナと無線回路とを非接続にするまたは前記選択されていないアンテナに接続される無線回路を動作させない、信号送受信方法。
【符号の説明】
【００４５】
１…システム、２…電気機器、１０…アンテナ装置、１１…第１アンテナ、１１ｂ…整合回路、１２…第２アンテナ、１２ｂ…整合回路、１３…無線回路、１４…切替回路、１５…制御回路、１６…記憶装置、３０…アンテナ装置、３１…第１アンテナ、３１ａ…アンテナ部、３１ｂ…整合回路、３２…第２アンテナ、３２ｂ…整合回路、３３…第１無線回路、３４…第２無線回路、３５…制御回路、３６…記憶装置。
【図１】
2017041730.tif 000003
【図２】
2017041730.tif 000004
【図３】
2017041730.tif 000005
【図４】
2017041730.tif 000006
【図５】
2017041730.tif 000007
【図６】
2017041730.tif 000008